(57)【要約】【課題】チャイルドシートを使用しない状況下での着座フィーリングの低下を招くことなく、チャイルドシートの取り付け作業性を向上させることのできる車両用シートを提供する。【解決手段】シートクッション２の後端の膨出部２ｂの背部に車体側のストライカーを配置する。シートクッション２はパッド材と表皮材とを備えている。パッド材には貫通路を形成し、表皮材にはスリット１８を形成する。スリット１８には、貫通路の挿入口を超えて上方に延出する延長部１８ａを設ける。表皮材にカバー部材１９を取り付け、延長部１８ａをカバー部材１９によって覆う。【選択図】図２
2010155516.tif 000002
【特許請求の範囲】
【請求項１】
シート本体の背部側に、チャイルドシートの固定具が係合されるアンカー部材が配置され、
前記シート本体がパッド材とその外側を覆う表皮材とを備えて成り、
前記パッド材に、前面側から前記アンカー部材に達する貫通路が形成され、
前記表皮材の、前記貫通路の挿入口の前面側にスリットが形成されている車両用シートにおいて、
前記スリットに、前記挿入口よりも外側範囲まで延長する延長部を設けたことを特徴とする車両用シート。
【請求項２】
前記表皮材に、前記スリットの延長部の前面側を覆うカバー部材を設けたことを特徴とする請求項１に記載の車両用シート。
【請求項３】
前記カバー部材の前面のうちの、前記延長部の直上位置に前記固定具の挿入位置を示す目印マークを設けたことを特徴とする請求項２に記載の車両用シート。
【発明の詳細な説明】
【技術分野】
【０００１】
この発明は、チャイルドシートを固定するための構造を備えた車両用シートに関するものである。
【背景技術】
【０００２】
シート本体の前面にチャイルドシートを固定する技術として、シート本体の背部の車体側固定部にアンカー部材であるストライカーを設置しておき、チャイルドシートを取り付ける際に、チャイルドシートの背面に突設された固定具をストライカーに係合させるものが知られている（例えば、特許文献１参照）。
【０００３】
この車両用シートは、シートクッションの後端部等に、チャイルドシートの固定具を挿入するための挿入部を設けておき、チャイルドシートをシート本体の前面に取り付ける際に、この挿入部を通してチャイルドシートの固定具をストライカーに係合させるようになっている。
【０００４】
この車両用シートでは、シート本体を構成するパッド材に前面からストライカー位置に達する貫通路が形成されるとともに、パッド材の外側を覆う表皮材に、貫通路の挿入口の長手方向と同長さのスリットが形成され、このスリットと貫通路によって前記挿入部が形成されている。
【０００５】
ところが、この車両用シートにおいては、固定具の挿入作業性を確保するためにシート本体の貫通路（挿入部）の開口面積を拡大すると、シート本体上の窪み領域が大きくなり、乗員の着座フィーリングが悪化する原因となり易い。
【０００６】
そこで、これに対処する車両用シートとして、パッド材の貫通路の前面を覆うカバー部材を設け、チャイルドシートを使用するときにカバー部材を捲り上げ、或いは、取り外してチャイルドシートの固定具を貫通路に挿入するものが案出されている（例えば、特許文献２，３参照）。この車両用シートにおいては、チャイルドシートを使用しないときに、カバー部材で貫通路をほぼ完全に覆うことができるため、貫通路の開口面積を充分に大きく確保することができる。
また、この車両用シートにおいては、カバー部材の表面に固定具の挿入位置を示す目印マークが付され、チャイルドシートを使用する乗員がこの目印マークを見て取り付け位置を即座に把握できるようになっている。
【特許文献１】特開２００１−１９９２７０号公報
【特許文献２】特開２００６−１８２０７０号公報
【特許文献３】特開２００６−１２３７５３号公報
【発明の開示】
【発明が解決しようとする課題】
【０００７】
しかし、この従来の車両用シートにおいては、パッド材の貫通路の前面をカバー部材で完全に覆う構造であることから、チャイルドシートを取り付ける際にカバー部材を捲り上げ、若しくは、取り外してから固定具を貫通路に挿入しなければならない。このため、チャイルドシートの取り付け作業が煩雑になる。
【０００８】
そこでこの発明は、チャイルドシートを使用しない状況下での着座フィーリングの低下を招くことなく、チャイルドシートの取り付け作業性を向上させることのできる車両用シートを提供しようとするものである。
【課題を解決するための手段】
【０００９】
上記の課題を解決する請求項１に記載の発明は、シート本体（例えば、後述の実施形態におけるシートクッション２）の背部側に、チャイルドシートの固定具（例えば、後述の実施形態における固定アーム１５）が係合されるアンカー部材（例えば、後述の実施形態におけるストライカー１４）が配置され、前記シート本体がパッド材（例えば、後述の実施形態におけるパッド材１０）とその外側を覆う表皮材（例えば、後述の実施形態における表皮材１１，１１Ａ）とを備えて成り、前記パッド材に、前面側から前記アンカー部材に達する貫通路（例えば、後述の実施形態における貫通路１７）が形成され、前記表皮材の、前記貫通路の挿入口（例えば、後述の実施形態における挿入口１７ａ）の前面側にスリット（例えば、後述の実施形態におけるスリット１８）が形成されている車両用シートにおいて、前記スリットに、前記挿入口よりも外側範囲まで延長する延長部（例えば、後述の実施形態における延長部１８ａ）を設けたことを特徴とする。
これにより、パッド材の貫通路の挿入口の開口面積は拡大されず、表皮材のスリットの長さのみが拡張される。したがって、シート本体には貫通路の挿入口による大きな窪み領域が形成されなくなり、スリットを押し開くときには延長部によってスリットの開口面積が拡大されるようになる。
【００１０】
請求項２に記載の発明は、請求項１に記載の車両用シートにおいて、前記表皮材に、前記スリットの延長部の前面側を覆うカバー部材（例えば、後述の実施形態におけるカバー部材１９）を設けたことを特徴とする。
これにより、スリットの延長部がカバー部材によって隠されるため、見栄えの低下を招くことなく延長部の長さが充分に確保されるようになる。
【００１１】
請求項３に記載の発明は、請求項２に記載の車両用シートにおいて、前記カバー部材の前面のうちの、前記延長部の直上位置に前記固定具の挿入位置を示す目印マーク（例えば、後述の実施形態における目印マーク２１）を設けたことを特徴とする。
これにより、チャイルドシートを取り付ける場合には、カバー部材の目印マークを目安として固定具をスリットと貫通路に挿入することが可能になる。
【発明の効果】
【００１２】
請求項１に記載の発明によれば、表皮材のスリットに、パッド材の挿入口の外側範囲まで延長する延長部を設けたため、チャイルドシートの不使用時における着座フィーリングの低下を招くことなく、チャイルドシートの取り付け時には、スリットを大きく開いてチャイルドシートの固定具をパッド材の貫通路に容易に挿入することができる。
【００１３】
請求項２に記載の発明によれば、スリットの延長部がカバー部材によって覆われるため、外観の低下を招くことなく、延長部の長さを充分に確保することでスリットの開口面積の拡大を図ることができる。
【００１４】
請求項３に記載の発明によれば、チャイルドシートを取り付ける場合に、カバー部材の目印マークを目安として、固定具を貫通路に挿入できるため、チャイルドシートの取り付け作業性をより高めることが可能になる。
【発明を実施するための最良の形態】
【００１５】
以下、この発明の一実施形態を図面に基づいて説明する。
図１は、この実施形態に係る車両用シート１の斜視図である。
この車両用シート１は、車両の後部座席として用いられるものであり、乗員の着座するシートクッション２と、背もたれとなるシートバック３と、このシートバック３の上部に取り付けられて乗員の頭部を支持する図示しないヘッドレストと、を備えている。この実施形態においては、シートクッション２とシートバック３がシート本体を構成している。
【００１６】
シートクッション２は、乗員の臀部の下面を支持する着座面２ａの後端部に、シート幅方向に亙って上方に隆起する膨出部２ｂが設けられている。シートバック３の下端はこの膨出部２ｂの上部に接するように配置されている。この車両用シート１には、チャイルドシート１３の設置が可能とされている。
【００１７】
図２，図３は、シートクッション２の膨出部２ｂを中心した拡大斜視図と断面図である。
これらの図に示すように、シートクッション２は、発泡ウレタン等から成るパッド材１０の外側が表皮材１１によって覆われている。ここでは、詳細な構造は図示しないが、シートバック３も同様にパッド材１０と表皮材１１とを備えた構造となっている。
【００１８】
シートクッション２とシートバック３は、シート形状に沿って形成された図示しない車体フロアに固定設置されている。車体フロアのうちの、シートクッション２の膨出部２ｂの背面位置には、チャイルドシート１３の後部下端を固定するためのアンカー部材である一対のストライカー１４が固定設置されている。ストライカー１４は、チャイルドシート１３とほぼ同幅に離間して車体フロアに固定され、チャイルドシート１３の後部下端に突設された一対の固定アーム１５（固定具）の挟持爪１５ａが係合されるようになっている。
【００１９】
膨出部２ｂのシート幅方向に離間した二位置には、膨出部２ｂの前面側からストライカー１４の設置位置を連通する一対の挿入部１６が形成されている。この両挿入部１６には、チャイルドシート１３の取り付け時に、チャイルドシート１３の後部に突設された固定アーム１５が挿入される。
【００２０】
シートクッション２の挿入部１６は、図３に示すように、パッド材１０に形成された貫通路１７と、表皮材１１に設けられたスリット１８によって形成されている。スリット１８は、２枚のスリット形成用の表皮材１１Ａ，１１Ａがその上辺部および下辺部と、スリット１８に対して外側の両側辺部とを矩形枠形状の縫製部２０で表皮材１１に縫製されて形成されている。表皮材１１Ａ，１１Ａのスリット１８側の側辺部は表皮材１１に対して一体に縫い込まれていない。矩形枠形状の縫製部２０によってスリット１８の周域の変位を規制することができる。表皮材１１Ａ，１１Ａは、表皮材１１と同材質の布や剛性繊維、皮革等の撓み変形可能な素材によって形成されている。
【００２１】
また、スリット形成用の表皮材１１Ａ，１１Ａの背面側には、撓み変形可能な不織布２５が設けられている。不織布２５は、縫製部２０によって表皮材１１およびスリット形成用の表皮材１１Ａ，１１Ａに縫製されている。不織布２５には、スリット１８に対して交差する方向に開口したスリット２６が形成されている。スリット２６は、図４に示すように、スリット１８の線上に交差中心を持つ２本の切り込みを十字状に交差させたものや、図５に示すように、スリット１８に対し、略直交させた１本の切り込み等によって構成される。切り込みの両端部は、切り込みを広げ易くするためにスリット２６の幅に対して大きく開口している。不織布２５としては、針の微妙な隆起でウェブの繊維同士を絡ませるニードルパンチ法によってシート状に結合させたものが用いられるが、撓み変形可能な素材であればどのような方法によって製造されていても良い。
【００２２】
貫通路１７は、パッド材１０の膨出部２ｂを形成する領域を前後方向に貫通する縦長の矩形断面形状に形成されている。
一方、スリット１８は、表皮材１１のうちの、貫通路１７の挿入口１７ａのほぼ前面側位置に挿入口１７ａの長手方向に沿うように形成されている。具体的には、スリット１８の下端は挿入口１７ａの下端位置とほぼ同位置とされ、スリット１８の上端側は挿入口１７ａの上端を越えて膨出部２ｂの頂部領域まで延出している。このスリット１８のうちの、挿入口１７ａの長手方向の長さを越えて上方側に延出する領域を延長部１８ａと呼ぶものとする。
【００２３】
また、膨出部２ｂのスリット形成用の表皮材１１Ａ，１１Ａのうちの、左右のスリット１８の延長部１８ａの前面側には、略矩形状のカバー部材１９が取り付けられている。カバー部材１９は、表皮材１１と同材質の布や合成繊維、皮革等の撓み変形可能な素材によって形成されている。カバー部材１９によってスリット１８のうちの延長部１８ａのみが覆われている。
【００２４】
ここで、カバー部材１９は、縫製部２０にて表皮材１１Ａ，１１Ａを表皮材１１に対して縫製を行うときに同時に上辺部と両側の側辺部が縫い込まれることで表皮材１１に一体に固定されている。ここで、カバー部材１９の下辺は表皮材１１に対して一体に縫い込まれていない。このため、スリット１８の延長部１８ａの開閉はカバー部材１９によって規制されることはない。また、カバー部材１９が撓み変形可能な素材によって形成されているため、カバー部材１９の下辺の中央部を上方側に押し上げれば、スリット１８の延長部１８ａを外部に露出させることができる。
【００２５】
また、カバー部材１９の前面には、スリット１８の延長部１８ａの直上位置にチャイルドシート１３の固定アーム１５の挿入位置を示す目印マーク２１が設けられている。この実施形態の場合、目印マーク２１は前面にチャイルドシートのデザインが付された樹脂プレートによって構成され、その樹脂プレートがカバー部材１９に取り付けられている。なお、目印マーク２１は、別体の樹脂プレートに表示するのに代えて、カバー部材１９の前面に直接表示するようにしても良い。
【００２６】
この車両用シート１は、チャイルドシート１３を取り付けない通常時には、シートクッション２の膨出部２ｂの下端前面側にスリット１８の一部が露出するものの、そのスリット１８の露出部分の長さはパッド材１０の挿入口１７ａの長手方向の長さとほぼ同程度の充分に短い長さとなっている。即ち、挿入口１７ａを越えて膨出部２ｂの上方に延出するスリット１８の延長部１８ａはカバー部材１９によって前面側を覆われている。このため、着座時に乗員と接触する部分に殆ど窪み部ができることがなく、乗員の着座フィーリングを阻害することがない。
また、延長部１８ａがカバー部材１９によって覆われているため、延長部１８ａの露出によって見栄えを損なうこともない。
【００２７】
また、この車両用シート１にチャイルドシート１３を取り付ける場合には、膨出部２ｂ上の目印マーク２１を目安にして、チャイルドシート１３の背部下端の固定アーム１５を、表皮材１１のスリット１８を通してパッド材１０の貫通路１７に挿入し、各固定アーム１５の挟持爪１５ａを車体側の対応するストライカー１４に係合させる。
【００２８】
固定アーム１５を貫通路１７に挿入する際には、スリット１８を押し開いて、不織布２５のスリット２６を介してその内部に固定アーム１５を押し入れるが、スリット１８には貫通路１７の挿入口１７ａの上端部を越えて上方に延出する延長部１８ａが設けられているため、固定アーム１５の挿入時に延長部１８ａが合わせて開くことでスリット１８を充分に大きく開口させることができる。
【００２９】
また、固定アーム１５の挿し込み位置や角度が上下方向に多少ずれていた場合には、固定アーム１５によってカバー部材１９の中央部を上方に捲り上げるように撓ませることにより、スリット１８の延長部１８ａをガイドとして固定アーム１５を貫通路１７に容易に挿入することができる。
【００３０】
したがって、この車両用シート１は、チャイルドシート１３の不使用時に挿入部１６の前面側をカバー部材等で完全に覆うものでないため、チャイルドシート１３の取り付け時にカバー部材を必ず捲り上げたり、取り外したりする必要がなく、取り付け作業性が良いという利点がある。
そして、特に、貫通路１７の挿入口１７ａの開口面積を拡大せず、スリット１８に延長部１８ａが設けられているため、チャイルドシート１３の不使用時における着座フィーリングの低下を招くことなく、チャイルドシート１３の取り付け時の固定アーム１５の挿入作業性の向上を図ることができる。
【００３１】
また、この車両用シート１においては、カバー部材１９上の目印マーク２１がスリット１８の延長部１８ａの直上位置に配置されるうえ、カバー部材１９が膨出部２ｂ上の前部上方に向く傾斜部分に取り付けられているため、チャイルドシート１３を取り付ける作業者に固定アーム１５の挿入位置を確実に把握させることができる。したがって、この点からも取り付け作業性の向上を図ることができる。
【００３２】
また、スリット形成用の表皮材１１Ａ，１１Ａの背面側で、挿入口１７ａに対向する側にはスリット１８に対して交差する方向にスリット２６を開口した不織布２５を配置しているので、スリット形成用の表皮材１１Ａ，１１Ａが多少捲れ上がっていたとしても貫通路１７の挿入口１７ａがシートクッション２の前面側から露見することがなく、外観の向上を図ることができる。
【００３３】
なお、この発明は上記の実施形態に限定されるものではなく、その要旨を逸脱しない範囲で種々の設計変更が可能である。例えば、上記の実施形態においては、チャイルドシート１３の固定アーム１５を挿入するための貫通路１７やスリット１８をシートクッション２の後端部に形成したが、貫通路１７やスリット１８をシートバック３の下端に形成するようにしても良い。
【図面の簡単な説明】
【００３４】
【図１】この発明の一実施形態の車両用シートの斜視図。
【図２】この発明の一実施形態の車両用シートの図１のＡ部の拡大図。
【図３】この発明の一実施形態の車両用シートの図２のＢ−Ｂ断面に対応する断面図。
【図４】この発明の一実施形態の車両用シートで用いる不織布の一態様を示す平面図。
【図５】この発明の一実施形態の車両用シートで用いる不織布の他の態様を示す平面図。
【符号の説明】
【００３５】
１…車両用シート
２…シートクッション（シート本体）
３…シートバック（シート本体）
１０…パッド材
１１，１１Ａ…表皮材
１３…チャイルドシート
１４…ストライカー（アンカー部材）
１５…固定アーム（固定具）
１７…貫通路
１７ａ…挿入口
１８…スリット
１８ａ…延長部
１９…カバー部材
２１…目印マーク
【図１】
2010155516.tif 000003
【図２】
2010155516.tif 000004
【図３】
2010155516.tif 000005
【図４】
2010155516.tif 000006
【図５】
2010155516.tif 000007